(57)【特許請求の範囲】
【請求項１】
前面および背面、左右の側面、天面および底面、を有するカートンであって、前記天面より延設された差込みフラップをカートンへと挿入して天面を閉封するカートンにおいて、
前記背面の後方に位置する、前記側面より延設してなる外背面を形成し、
前記天面の上方に位置する、前記外背面より延設してなる外天面を形成し、
前記差込みフラップの前方に位置する、前記外天面より延設してなる外差込みフラップを形成したカートンであって、
さらに、前記外差込みフラップに開口部又は鉤状部からなる掛止手段を形成するとともに、前記掛止手段を介して、前記差込みフラップと前記前面とを貼合することにより、前記外差込みフラップを上下摺動自在に形成したことを特徴とする、カートン。
【請求項２】
前記外天面に開口部又は鉤状部からなる吊り下げ手段を形成し、前記外差込みフラップを上方へと摺動させた際に、該吊り下げ手段を用いて前記カートンを吊り下げ自在に構成したことを特徴とする、請求項１記載のカートン。
【請求項３】
前記外差込みフラップを上方へと摺動させた際に、
前記外差込みフラップおよび前記外天面を貫く開口部又は鉤状部からなる吊り下げ手段を形成して、前記カートンを吊り下げ自在に形成したことを特徴とする、請求項１記載のカートン。
【請求項４】
前記外背面に切込み線を形成することにより、前記外背面の一部を切起自在に形成して、前記背面の一部を表示可能に構成したことを特徴とする、請求項１乃至３のいずれか１項に記載のカートン。
【請求項５】
さらに、前記外天面の一部と前記天面とを貼合するとともに、前記外背面の折り線に沿って切込み線を形成することにより、前記外背面の略全体を切起自在に形成して、前記背面の全体を表示可能に構成したことを特徴とする、請求項４記載のカートン。
【請求項６】
前記掛止手段に対応する箇所において、前記差込みフラップおよび前記前面に、もしくは、前記差込みフラップまたは前記前面に、凸部を形成したことを特徴とする、請求項１乃至５のいずれか１項に記載のカートン。
【請求項７】
前記天面に、開口からなる振り出し口を形成することにより、前記外差込みフラップを上方へと引き出して、前記振り出し口より内容物を取り出し自在に形成したことを特徴とする、請求項１乃至６のいずれか１項に記載のカートン。
【発明の詳細な説明】
【技術分野】
【０００１】
本発明は、多機能性を有する差込みフラップ式のカートンに関する。
【背景技術】
【０００２】
従来、図３０（ａ）に示すように、天面１５より延設された差込みフラップ１６をカートン１へと挿入して、図３０（ｂ）に示すように、天面１５を閉封する差込みフラップ式のカートン１が知られており、お菓子やレトルト食品さらには医薬品等の各種製品の外箱に幅広く用いられている。
【０００３】
このようなカートン１は、カートンを置いた状態で陳列した際に、カートン１のディスプレイ性に欠けるという欠点があり、さらには、カートン１を吊り下げた状態で陳列するためには、別途カートン１より突出した吊り下げ片等を形成する必要があるため、カートン構成が複雑であり、カートンの意匠性に欠ける等の問題があった（例えば、特許文献１、特許文献２）。また、カートン１の表示部分は、カートン１の外面部分に限られるため、小さいカートンでは表示面が少なく、取り扱い説明書等を別途カートン内に挿入する必要があった。さらには、振り出し口を有するカートンでは、振り出し口の開閉をするフラップを掛止するための複雑な構成が必要である（例えば、特許文献３）。
【０００４】
【特許文献１】特開平０８−１９８２４３号公報
【特許文献２】特開平０８−１９８２４４号公報
【特許文献３】特開平０６−３４５０８３号公報
【発明の開示】
【発明が解決しようとする課題】
【０００５】
本発明は、主に、差込みフラップを有するカートンにおいて、簡単な構成により、カートンのディスプレイ性を向上し、さらには、カートンを吊り下げ可能な収納式の吊り下げ手段を形成することが可能なカートンを提供することを課題とする。また、カートンに、注意書きや取り扱い説明等の表示面を形成することが可能な構成とし、さらには、内容物を好適に取り出すことが可能な振り出し口を形成した、多機能性を有するカートンを提供することを課題とする。
【課題を解決するための手段】
【０００６】
上記課題を解決すべく、本発明の請求項１記載の発明は、前面および背面、左右の側面、天面および底面、を有するカートンであって、前記天面より延設された差込みフラップをカートンへと挿入して天面を閉封するカートンにおいて、
前記背面の後方に位置する、前記側面より延設してなる外背面を形成し、
前記天面の上方に位置する、前記外背面より延設してなる外天面を形成し、
前記差込みフラップの前方に位置する、前記外天面より延設してなる外差込みフラップを形成したカートンであって、
さらに、前記外差込みフラップに開口部又は鉤状部からなる掛止手段を形成するとともに、前記掛止手段を介して、前記差込みフラップと前記前面とを貼合することにより、前記外差込みフラップを上下摺動自在に形成したことを特徴とする、カートンである。
【０００７】
また、請求項２記載の発明は、前記外天面に開口部又は鉤状部からなる吊り下げ手段を形成し、前記外差込みフラップを上方へと摺動させた際に、該吊り下げ手段を用いて前記カートンを吊り下げ自在に構成したことを特徴とする、カートンである。
【０００８】
また、請求項３記載の発明は、前記外差込みフラップを上方へと摺動させた際に、前記外差込みフラップおよび前記外天面を貫く開口部又は鉤状部からなる吊り下げ手段を形成して、前記カートンを吊り下げ自在に形成したことを特徴とする、カートンである。
【０００９】
また、請求項４記載の発明は、前記外背面に切込み線を形成することにより、前記外背面の一部を切起自在に形成して、前記背面の一部を表示可能に構成したことを特徴とする、カートンである。
【００１０】
また、請求項５記載の発明は、さらに、前記外天面の一部と前記天面とを貼合するとともに、前記外背面の折り線に沿って切込み線を形成することにより、前記外背面の略全体を切起自在に形成して、前記背面の全体を表示可能に構成したことを特徴とする、カートンである。
【００１１】
また、請求項６記載の発明は、前記掛止手段に対応する箇所において、前記差込みフラップおよび前記前面に、もしくは、前記差込みフラップまたは前記前面に、凸部を形成したことを特徴とする、カートンである。
【００１２】
また、請求項７記載の発明は、前記天面に、開口からなる振り出し口を形成することにより、前記外差込みフラップを上方へと引き出して、前記振り出し口より内容物を取り出し自在に形成したことを特徴とする、カートンである。
【発明の効果】
【００１３】
本発明の請求項１記載の発明は、前面および背面、左右の側面、天面および底面、を有するカートンであって、前記天面より延設された差込みフラップをカートンへと挿入して天面を閉封するカートンにおいて、
前記背面の後方に位置する、前記側面より延設してなる外背面を形成し、
前記天面の上方に位置する、前記外背面より延設してなる外天面を形成し、
前記差込みフラップの前方に位置する、前記外天面より延設してなる外差込みフラップを形成したカートンであって、
さらに、前記外差込みフラップに開口部又は鉤状部からなる掛止手段を形成するとともに、前記掛止手段を介して、前記差込みフラップと前記前面とを貼合することにより、前記外差込みフラップを上下摺動自在に形成したことを特徴とするから、前記外差込みフラップを上方へと持ち上げて、天面を起立させることが可能であり、天面に施した印刷が使用者方に向くため、高いディスプレイ効果（宣伝効果）を奏することが可能である。
【００１４】
また、請求項２記載の発明は、前記外天面に開口部又は鉤状部からなる吊り下げ手段を形成し、前記外差込みフラップを上方へと摺動させた際に、該吊り下げ手段を用いて前記カートンを吊り下げ自在に構成したことを特徴とするから、適宜箇所に必要な掛止手段を形成して、外差込みフラップを掛止自在とし、かつ、カートンを吊り下げ自在に構成することが可能である。
さらには、吊り下げ手段を鉤状部とし、必要な箇所にのみ吊り下げ手段を形成することで、省ブランクの効果を奏することが可能である。
【００１５】
また、請求項３記載の発明は、前記外差込みフラップを上方へと摺動させた際に、前記外差込みフラップおよび前記外天面を貫く開口部又は鉤状部からなる吊り下げ手段を形成して、前記カートンを吊り下げ自在に形成したことを特徴とするから、外差込みフラップの開口部又は鉤状部および外天面の開口部又は鉤状部により、カートンを吊り下げることが可能な挿通孔を形成し、複数個のカートンを吊り下げた状態で陳列することが可能である。さらには、外差込みフラップを持ち上げ若しくは収納することで、必要に応じてカートンの吊り下げ手段を収納・引き出しすることが可能である。
【００１６】
また、請求項４記載の発明は、前記外背面に切込み線を形成することにより、前記外背面の一部を切起自在に形成して、前記背面の一部を表示可能に構成したことを特徴とするから、カートンの背面と外背面との二重構造を利用して、外背面のみならず背面をも利用して表示面とすることが可能である。よって、取り扱い方法や注意事項等の使用説明書を別途カートンに同封することなく、背面に印刷した注意事項等を、外背面を切起こすことで好適に表示することが可能である。
【００１７】
また、請求項５記載の発明は、さらに、前記外天面の一部と前記天面とを貼合するとともに、前記外背面の折り線に沿って切込み線を形成することにより、前記外背面の略全体を切起自在に形成して、前記背面の全体を表示可能に構成したことを特徴とするから、外背面の略全体を切起こし背面の略全体を表示面として利用することが可能である。
【００１８】
また、請求項６記載の発明は、前記掛止手段に対応する箇所において、前記差込みフラップおよび前記前面に、もしくは、前記差込みフラップまたは前記前面に、凸部を形成したことを特徴とするから、前記掛止手段を介して、前記差込みフラップと前記前面とを良好に貼合することが可能である。また、差込みフラップと前面との間に凸部からなる隙間を形成して、外差込みフラップの前記掛止手段が凸部をガイドに良好に上下摺動するとともに、さらには、前記掛止手段が凸部へと掛止することで、外差込みフラップの引き出し量の調節が可能である。
【００１９】
また、請求項７記載の発明は、前記天面に、開口からなる振り出し口を形成することにより、前記外差込みフラップを上方へと引き出して、前記振り出し口より内容物を取り出し自在に形成したことを特徴とするから、天面に開口を形成する簡単な構成により振り出し口付きカートンを形成することが可能である。
【００２０】
このように、本発明のカートンは、外天面を持ち上げる簡単な構成により、カートンを吊り下げ可能な吊り下げ手段を形成することが可能であり、また、外天面が傾斜して高いディスプレイ効果を奏することが可能である。さらには、天面に振り出し口を形成することで、振り出し口を有するカートンを形成することが可能である。
【発明を実施するための最良の形態】
【００２１】
本発明に係るカートン１の一例としては、図１（ａ）（ｂ）に示すように、前面１１および背面１４、左右の側面１２，１３、天面１５および底面１７、を有するカートン１であって、前記天面１５より延設された差込みフラップ１６をカートン１へと挿入して天面１５を閉封するカートン１において、前記背面１４の後方に位置する、前記側面１３より延設してなる外背面２４を形成し、前記天面１５の上方に位置する、前記外背面２４より延設してなる外天面２５を形成し、前記差込みフラップ１６の前方に位置する、前記外天面２５より延設してなる外差込みフラップ２６を形成したカートン１であって、さらに、前記外差込みフラップ２６に開口部からなる掛止手段３０Ａを形成するとともに、前記開口部からなる掛止手段３０Ａを介して、前記差込みフラップ１６と前記前面１１とを貼合することにより、前記外差込みフラップ２６を上下摺動自在に形成したことを特徴とする、カートン１（多機能性を有するカートン１）である。
【００２２】
これにより、必要に応じて外差込みフラップ２６を引き出して、外天面２５を傾斜させることが可能であり、外天面が斜め上方を向くため、外天面２５の印刷を目立たせることが可能である。よって、高いディスプレイ効果を奏するカートンを提供することが可能である。また、外差込みフラップ２６を引き出して、カートン１を吊り下げるための開口部又は鉤状部からなる吊り下げ手段３０Ｂを容易に形成することが可能であり、さらには、後述する、外背面２４の一部若しくは全部を切起自在に形成することにより、前記背面１４を表示面として利用することが可能である。
【００２３】
なお、前記掛止手段３０Ａとは、外差込みフラップ２６に形成された貫通孔のみならず、後述する、切り欠きや切り込みであってもよく、前記掛止手段３０Ａが差し込みフラップ１６と前面１との貼合箇所に好適に掛止することが可能な構成であれば、前記掛止手段３０Ａの形状や形態は特に限定されるものではない。
【００２４】
次に、本発明のカートン１の主な構成について説明する。
本発明のカートン１のブランクの一例としては、図２に示すように、右から横一列に背面１４、側面１３、前面１１、側面１２、外背面２４をそれぞれ有し、前記左右の側面１２，１３にはサイドフラップＦが、前記背面１４には天面１５が、前記外背面２４には外天面２５および外底面２７が形成されている。
【００２５】
また、前記天面１５には差し込みフラップ１６が、前記外天面２５には外差込みフラップ２６が、前記外底面２７には外差込みフラップ２８がそれぞれ形成されている。
特に、前記外天面２５より連設する外差込みフラップ２６は、前記天面１５より連設する差込みフラップ１６より長い形状を有し、さらに外差込みフラップ２６の略中央部分には縦長形状の開口部からなる掛止手段３０Ａが形成されている。
【００２６】
そして、後述する、前記掛止手段３０Ａを介して、前記差込みフラップ１６と前記前面１１とを貼合することにより、外差込みフラップ２６を上下方向へと摺動自在に構成することが可能である。
【００２７】
また、前記差込みフラップ１６の略中央部分には凸部３１が形成されており、後述する、前記掛止手段３０Ａを介して前記凸部３１と前面１１とを貼合することにより、外差込みフラップ２６を除き、差込みフラップ１６と前面１１のみを良好に貼合することが可能である。
【００２８】
次に、このようなブランクから本発明のカートン１を形成する方法について説明する。まず、図３（ａ）に示すように、カートン１の前面１１と側面１３とが連設する折り線に沿って、背面１４および側面１３を折込み、さらに、図３（ｂ）に示すように、外背面２４を折り込んで背面１４へと貼合（図中点線枠）して、図４（ａ）に示すように、平面状のカートンを形成する。そして、平面状のカートンを引き起こして、図４（ｂ）に示すように、筒状のカートンを形成する。
【００２９】
次に、図５（ａ）に示すように、各サイドフラップＦを内方へと折り込んだ後、天面１５と差し込みフラップ１６と、外天面２５と外差込みフラップ２６と、底面２７と外差込みフラップ２８とを、それぞれ折り込みカートンへと挿入して、図５（ｂ）に示すように、本発明のカートン１を形成する。
【００３０】
このようにして形成したカートン１は、図６（ａ）に示すように、外差込みフラップの掛止手段３０Ａを介して、前面１１方へと突出した差込みフラップ１６の凸部３１と前面１１とを互いに貼合することにより、外差込みフラップ２６のみが貼合されずに、図６（ｂ）に示すように、外差込みフラップ２６を上方へと引き出すことが可能である。
【００３１】
特に、前記掛止手段３０Ａに対応する箇所において、前記差込みフラップ２６に凸部３１を形成することにより、外差込みフラップ２６の掛止手段３０Ａが凸部３１をガイドに良好に上下摺動することが可能である。
【００３２】
このように、本発明のカートン１は、図７（ａ）（ｂ）に示すように、外差込みフラップ２６を上方へと引き出すことで、外天面２５を傾斜させて表示することが可能であり、外天面２５に施した印刷が使用者方に向くため、高いディスプレイ効果（宣伝効果）を奏することが可能である。
【００３３】
次に、本発明のカートン１は、上記構成に加えて、前記外天面２５に開口部又は鉤状部からなる吊り下げ手段３０Ｂを形成することにより、前記外差込みフラップ２６を上方へと摺動させた際に、前記外差込みフラップ２６の開口部又は鉤状部からなる掛止手段３０Ａおよび前記外天面２５の開口部又は鉤状部からなる吊り下げ手段３０Ｂを貫かせることで、前記カートン１を吊り下げ自在に構成することが可能である。
【００３４】
さらには、背面４と外背面２４との二重構造を利用して、外背面２４の一部若しくは全体を切起こし、背面１４の一部若しくは全体を表示面として利用することが可能である。
【００３５】
この場合の一例としては、図８に示すように、上記構成に加えて、外天面２５に開口部からなる吊り下げ手段３０Ｂを形成する。
これにより、後述する、外差込みフラップ２６を引き出した際に、外天面２５が傾斜して、前記外差込みフラップ２６の開口部からなる掛止手段３０Ａおよび前記外天面２５の開口部からなる吊り下げ手段３０Ｂを貫かせることが可能であり、この掛止手段３０Ａおよび吊り下げ手段３０Ｂにより前記カートン１を吊り下げ自在に構成することが可能である。
【００３６】
また、外背面２４に切込み線Ｓを形成して外背面２４の一部を略矩形に切起可能に構成することにより、後述する、前記外背面２４の一部を切起自在に形成して、前記背面１４の印刷を表示可能に構成することが可能である。
さらには、外背面２４の切込み線Ｓの内側に湾曲形状の切り込み４１（掛止片４１）を形成するとともに、背面１４に略直線形状の切り込み４０（掛止孔４０）を形成することにより、外背面２４に形成した湾曲形状の切り込み４１の内側部分を折り込み、突出した掛止片４１を形成することが可能であり、この掛止片４１を背面１４の掛止孔４０へと掛止して、外背面２４をロックすることが可能である。
【００３７】
そして、このようなブランクから本発明のカートン１を形成する方法について説明する。まず、図９（ａ）に示すように、カートン１の前面１１と側面１２とが連設する折り線に沿って、背面１４および側面１２を折込んだ後、図９（ｂ）に示すように、外背面２４を折り込み、背面１４へと貼合して（図中点線枠部分）、図１０（ａ）に示すように、平面状のカートンを形成する。そして、平面状のカートンを引き起こして、図１０（ｂ）に示すように、筒状のカートンを形成する。
【００３８】
次に、図１１（ａ）に示すように、各サイドフラップＦを内方へと折り込み、天面１５と差し込みフラップ１６と、外天面２５と外差込みフラップ２６と、底面２７と外差込みフラップ２８とを、それぞれ折り込んでカートンへと挿入して、図１１（ｂ）に示すように、本発明のカートン１を形成する。
【００３９】
このようにして形成したカートン１は、図１２（ａ）に示すように、外差込みフラップ２６の開口部からなる掛止手段３０Ａを介して、差込みフラップ１６の凸部３１と前面１１とを貼合することにより、外差込みフラップ２６のみが貼合されないため、外差込みフラップ２６を上方へと引き出すことが可能である。
【００４０】
特に、外差込みフラップ２６を引き出すことにより、外天面２５が傾斜して、外差込みフラップ２６の開口部からなる掛止手段３０Ａおよび外天面２５の開口部からなる吊り下げ手段３０Ｂによって、外差込みフラップ２６と外天面２５とを貫くことが可能となり、開口部からなる掛止手段３０Ａおよび開口部からなる吊り下げ手段３０Ｂを用いてカートン１を吊り下げることが可能である。
【００４１】
また、図１２（ｂ）に示すように、カートン１の外背面２４には、外背面２４の一部を略矩形に切起可能な切込み線Ｓが形成されており、図１３（ａ）に示すように、外背面２４の先端部分を起点に外背面２４を引き起こすことにより、前記外背面２４の一部が切込み線Ｓに沿って切起こし、前記背面１４の一部を表示することが可能である。
【００４２】
さらには、図１３（ｂ）に示すように、外背面２４に形成した湾曲形状の切り込み４１の内側を折り曲げてなる掛止片４１を、背面１４の掛止孔４０へと掛止して、外背面２４を再び閉じてロックすることが可能である。
【００４３】
このように、本発明のカートン１は、外差込みフラップ２６を上下方向に摺動して引き出す構成により、外天面２５を傾斜させて表示することが可能であり、天面１５が使用者方に向くため、高いディスプレイ効果（宣伝効果）を奏することが可能である。
また、外差込みフラップ２６に開口部からなる掛止手段３０Ａを、前記外天面２５に開口部からなる吊り下げ手段３０Ｂを形成することにより、前記外差込みフラップ２６を上方へと摺動させた際に、前記外差込みフラップ２６の開口部からなる掛止手段３０Ａおよび前記外天面２５の開口部からなる吊り下げ手段３０Ｂを貫かせることで、前記カートン１を吊り下げ自在に構成することが可能である。
さらには、前記外背面２４に切込み線Ｓを形成することにより前記外背面２４の一部を切起自在に形成して、前記背面１４の印刷を告知可能に構成することが可能である。
【００４４】
次に、本発明のカートン１は、前記外天面２５の一部を前記天面１５へと貼合するとともに、前記外背面２４の折り線に沿って切込み線Ｓを形成することにより、前記外背面２４の全体を切起自在に形成してもよく、これにより前記背面１４の全体を表示面として利用することが可能である。
【００４５】
この場合の一例としては、図１４に示すように、外背面２４と接する、外天面２５および底面２７の折り線に沿って切込み線Ｓを形成するとともに、外天面２５の一部（開口部からなる掛止手段３０Ａの下方部分）を天面１５に貼合することで、外背面２４の全体を切起こすことが可能である。また、外背面２４の内側へと折り込み可能な内面２９を連設してもよく、さらに前記内面２９に略円形状の切り込み４１を形成するとともに、背面１４に切り込み４０を形成してこれらを掛止自在に形成してもよい。
【００４６】
このようなブランクからカートン１を形成する場合の一例としては、図１５（ａ）に示すように、前記内面２９を折り込み外背面２４へと貼合するとともに（図中点線枠部分）、図１５（ｂ）に示すように、各面（１１，１２，１３，１４，１９）を折り込み前記貼合面１９を側面１３へと貼合して（図中点線枠部分）、図１６（ａ）に示すように、筒状のカートンを形成する。そして、図１６（ｂ）に示すように、外背面２４を背面１４の後方へと折り込むとともに、外天面２５の一部を天面１５へと貼り合わせる（図中点線枠部分）。
【００４７】
そして、図１７（ａ）に示すように、サイドフラップＦを内方へと折り込んだ後、天面１５および差込フラップ１６、外天面２５および外差込フラップ２６、底面１７，２７をそれぞれ折り込んでカートンへと挿入・貼合することで、図１７（ｂ）に示すように、本発明のカートン１を形成する。
【００４８】
このようにして形成したカートン１は、図１８（ａ）に示すように、外差込みフラップ２６の開口部からなる掛止手段３０Ａを介して、差込みフラップ１６の凸部３１と前面１１とを貼合することにより、外差込みフラップ２６のみが貼合されないため、図１８（ｂ）に示すように、外差込みフラップ２６を上方へと引き出すことが可能である。
【００４９】
特に、外天面２５の一部を天面１５へと貼り合わせた状態であっても、外天面２５の他の一部が外差込みフラップ２６とともに持ち上がる構成であり、外差込みフラップ２６の開口部からなる掛止手段３０Ａと外天面２５の開口部からなる吊り下げ手段３０Ｂを貫かせることで、複数のカートン１を直列に吊り下げることが可能である。
【００５０】
また、本発明のカートン１は、図１９（ａ）に示すように、前記外天面２５の一部と前記天面１５とを貼合するとともに、前記外背面２４の折り線に沿って切込み線Ｓを形成することにより、図１９（ｂ）に示すように、前記外背面２４の略全体を切起することが可能であり、背面１４の略全体を表示面として利用することが可能である。特に、外天面２５の一部が天面１５に貼合されることで、外背面２４の切起こしに伴い、外天面２５が脱落してしまうことがない。
【００５１】
また、図２０（ａ）に示すように、内面２９の円形状の切り込み４１の内側部分を引き出してなる突出した掛止片４１を形成することが可能であり、図２０（ｂ）に示すように、背面１４の切り込み４０へと前記掛止片４１を挿入して外背面２４をロックすることが可能である。
【００５２】
このように、本発明のカートン１は、外差込みフラップ２６の開口部からなる掛止手段３０Ａを介して、外差込みフラップ２６を上下に摺動自在に形成する構成により、図２１（ａ）に示すように、複数個のカートンを吊り下げて好適に陳列することが可能である。さらには、カートンを置いた状態で陳列する際にも、図２１（ｂ）に示すように、外天面２５を傾けた状態とすることが可能であり、高いディスプレイ効果を奏することが可能である。また、前記外背面２４の一部若しくは全体を切起自在に形成して、前記背面１４の一部若しくは全体を表示可能に構成することで、外背面２４のみならず背面１４をも表示面とすることが可能である。
【００５３】
さらには、本発明のカートン１は、上記構成に加えて、前記天面１５に振り出し口を形成してもよく、外差込みフラップ２６を上方へと引き出して、天面１５の振り出し口より内容物を取り出し自在に形成してもよい。
【００５４】
この場合、図２２に示すように、左から横一列に外背面２４、側面１３、前面１１、側面１２、背面１４をそれぞれ有し、前記左右の側面１２，１３にはサイドフラップＦが、前記背面１４には天面１５が、前記外背面２４には外天面２５および外底面２７が形成されている。そして、前記天面１５には差し込みフラップ１６が、前記外天面２５には外差込みフラップ２６が、それぞれ形成されている。特に、前記外差込みフラップ２６には、開口部からなる掛止手段３０Ａが形成され、前記天面１５の略中央部分には開口５０からなる振り出し口５０が形成されている。
【００５５】
また、前記差込みフラップ１６の略中央部分には凸部３１（外差込みフラップ方へと突出する凸部３１）が形成されており、後述する、前記開口部からなる掛止手段３０Ａを介して前記凸部３１と前面１１とを貼合することにより、外差込みフラップ２６を除き、差込みフラップ１６と前面１１のみを良好に貼合することが可能である。特に、前記差込みフラップ１６の凸部３１と接する、前面１１にも凸部３２（外差込みフラップ方へと突出する凸部３２）を形成することにより、それぞれの凸部３１，３２が互いに当接して、凸部３１，３２の高さを高く形成することが可能であり、差込みフラップ１６と前面１１との間に、外差込みフラップ２６の上下摺動をさらに良好に行うことが可能な隙間を形成することが可能である。さらには、前記開口部からなる掛止手段３０Ａが前記凸部へと掛止することで、外差込みフラップの引き出し量の調節が可能である。
【００５６】
そして、このようなブランクからカートン１を形成する場合の一例として、図２３（ａ）に示すように、前記側面１２および前記背面１４を折り込み、背面１４を外背面２４へと貼合して、図２３（ｂ）に示すように、筒状のカートンを形成する。
【００５７】
そして、図２４（ａ）に示すように、サイドフラップＦを内方へと折り込んだ後、天面１５および差込フラップ１６、外天面２５および外差込フラップ２６をそれぞれ折り込みカートンへと挿入して、図２４（ｂ）に示すように、本発明のカートン１を形成することが可能である。
【００５８】
このようにして形成したカートン１は、図２５（ａ）に示すように、外差込みフラップ２６の開口部からなる掛止手段３０Ａを介して、差込みフラップ１６の凸部３１と前面１１とを貼合することにより、外差込みフラップ２６のみが貼合されないため、図２５（ｂ）に示すように、外差込みフラップ２６を上方へと引き出すことが可能である。よって、外天面２５を持ち上げることにより、天面１５に形成した開口５０（振り出し口５０）が形成されるため、この振り出し口５０より内容物を簡単に取り出すことが可能である。
【００５９】
特に、従来の振り出し口付きカートンでは、天面（開口フラップ）を上方へと引き出して振り出し口を形成するが、開口フラップが必要以上に引き出されてフラップが外れてしまうことを防ぐため、種々の掛止手段を形成する必要があった。
【００６０】
これに対して、本発明のカートンは、振り出し口を形成する際に、外差込みフラップ２６の開口部からなる掛止手段３０Ａが、前面１１と差込みフラップ１６との貼合箇所に掛止する簡単な構成により、外差込みフラップを強固かつ確実に掛止することが可能であり、外差込みフラップの引き出し量の調節が可能である。よって、従来の振り出し口付きカートンにおける、種々の掛止手段を講じることなく、外差込みフラップ２６を好適に掛止して振り出し口５０を形成することが可能である。
【００６１】
さらには、前記差込みフラップ１６の凸部３１と、前面１１の凸部３２との２つの凸部３１，３２が互いに接するため、前面１１と差込みフラップ１６との間に、２つの凸部３１，３２による隙間を形成することが可能であり、外差込みフラップ２６の上下摺動をスムースかつ良好に行うことが可能であるとともに、前記開口部からなる掛止手段３０Ａが前記凸部３１，３２の下縁へと、さらに強固かつ確実に掛止する効果がある。
【００６２】
掛止手段３０Ａおよび吊り下げ手段３０Ｂは、上記例で示した貫通孔の形態に限らず、外差込みフラップ２６に切り欠き、切り込み、溝等からなる鉤状部であってもよい。例えば、図２６（ａ）に示すようなブランクにおいて、外差込みフラップ２６の一部を鉤状に切り欠いた鉤状部からなる掛止手段３０Ａを形成するとともに、外天面２５の一部を鉤状に切り欠いた鉤状部からなる吊り下げ手段３０Ｂを形成することにより、図２７（ａ）（ｂ）に示すような、カートン１を形成することが可能である。
【００６３】
よって、外差込みフラップ２６を上方へと引き出した際に、外差込みフラップ２６の鉤状部からなる掛止手段３０Ａ（鉤状の切り込み）を凸部３１へと掛止することが可能であり、さらには、外天面２５の鉤状部からなる吊り下げ手段３０Ｂ（鉤状の切り込み）を用いてカートン１を吊り下げることが可能である。
【００６４】
また、吊り下げ手段３０Ｂを複数形成してもよく、図２８に示すように、外天面２５に開口部からなる吊り下げ手段３０Ｂを形成し、また、外差込みフラップ２６に開口部からなる吊り下げ手段３０Ｂを形成するとともに、鉤状部からなる掛止手段３０Ａ（鉤状の切り込み）を形成することにより、図２９（ａ）（ｂ）に示すような、カートンを形成することが可能である。
【００６５】
よって、外差込みフラップ２６を上方へと引き出した際に、外差込みフラップ２６の鉤状部からなる掛止手段３０Ａ（鉤状の切り込み）を凸部３１へと掛止することが可能であり、さらには、外天面２５の開口部からなる吊り下げ手段３０Ｂ（貫通孔）および外差込みフラップ２６の開口部からなる吊り下げ手段３０Ｂ（貫通孔）を用いてカートン１を吊り下げることが可能である。
【００６７】
よって、適宜箇所に必要な形状および必要な個数の掛止手段３０Ａおよび吊り下げ手段３０Ｂを形成して、外差込みフラップ２６を掛止自在かつカートン１を吊り下げ自在に構成することが可能である。さらには、種々の開口部又は鉤状部からなる形状とし、かつ必要な箇所にのみ掛止手段３０Ａおよび吊り下げ手段３０Ｂを形成することで、省ブランクの効果を奏することが可能である。また、カートン１に収容される内容物の重心が左右に偏る場合にも、適宜掛止手段３０Ａおよび吊り下げ手段３０Ｂを左右にずらして形成することで、簡単にカートン１吊り下げ時のバランスをとることが可能である。
【００６８】
何れにせよ、掛止手段３０Ａが前面１１と差込みフラップ１６との貼合箇所へと好適に掛止可能な形状であり、かつ吊り下げ手段３０Ｂがカートン１を吊り下げ可能な形状であれば、掛止手段３０Ａおよび吊り下げ手段３０Ｂの形状や形成箇所等は、特に限定されるものではない。
【００６９】
以上のように、本発明のカートン１は、外天面２５を持ち上げる簡単な構成により、カートンを吊り下げ可能な吊り下げ手段３０Ｂを形成することが可能であり、また、外天面２５が傾斜して高いディスプレイ効果を奏することが可能である。さらには、天面１５に振り出し口５０を形成することが可能であり、振り出し口を有するカートンを形成することが可能である。よって、高いディスプレイ性、陳列性、使用性を奏することが可能な、多機能性を有するカートン１を提供することが可能である。
【図面の簡単な説明】
【００７０】
【図１】本発明のカートンの一例を示す図である。（ａ）カートンの略正面視を示す図である。（ｂ）カートンの略背面視を示す図である。
【図２】カートンのブランクの一例を示す図である。
【図３】（ａ）（ｂ）カートンを組み立てる際の一例を示す図である。
【図４】（ａ）（ｂ）カートンを組み立てる際の一例を示す図である。
【図５】（ａ）（ｂ）カートンを組み立てる際の一例を示す図である。
【図６】（ａ）（ｂ）カートンの構成を示す説明図である。
【図７】カートンを示す説明図である。（ａ）カートンの略正面視を示す図である。（ｂ）カートンの略背面視を示す図である。
【図８】ブランクの別の例を示す図である。
【図９】（ａ）（ｂ）カートンを組み立てる際の一例を示す図である。
【図１０】（ａ）（ｂ）カートンを組み立てる際の一例を示す図である。
【図１１】（ａ）（ｂ）カートンを組み立てる際の一例を示す図である。
【図１２】カートンを示す説明図である。（ａ）カートンの略正面視を示す図である。（ｂ）カートンの略背面視を示す図である。
【図１３】（ａ）（ｂ）カートンの構成を示す説明図である。
【図１４】ブランクのさらに別の例を示す図である。
【図１５】（ａ）（ｂ）カートンを組み立てる際の一例を示す図である。
【図１６】（ａ）（ｂ）カートンを組み立てる際の一例を示す図である。
【図１７】（ａ）（ｂ）カートンを組み立てる際の一例を示す図である。
【図１８】（ａ）（ｂ）カートンの構成を示す説明図である。
【図１９】（ａ）（ｂ）カートンの構成を示す説明図である。
【図２０】（ａ）（ｂ）カートンの構成を示す説明図である。
【図２１】本発明のカートンの使用例を示す図である。（ａ）複数個のカートンを吊り下げた場合の一例を示す説明図である。（ｂ）カートンを置いた状態で陳列した場合の一例を示す説明図である。
【図２２】ブランクのさらに別の例を示す図である。
【図２３】（ａ）（ｂ）カートンを組み立てる際の一例を示す図である。
【図２４】（ａ）（ｂ）カートンを組み立てる際の一例を示す図である。
【図２５】（ａ）（ｂ）カートンの構成を示す説明図である。
【図２６】（ａ）（ｂ）ブランクのさらに別の例を示す図である。
【図２７】（ａ）（ｂ）カートンの構成を示す説明図である。
【図２８】（ａ）（ｂ）ブランクのさらに別の例を示す図である。
【図２９】（ａ）（ｂ）カートンの構成を示す説明図である。
【図３０】（ａ）（ｂ）従来のカートンを示す図である。
【符号の説明】
【００７１】
１ カートン（多機能性を有するカートン）
１１ 前面
１２ 右面
１３ 左面
１４ 背面
１５ 天面
１６ 差込みフラップ
１７ 底面
１８ フラップ
１９ 貼合面
２４ 外背面
２５ 外天面
２６ 外差込みフラップ
２７ 外底面
２８ 外差込みフラップ
２９ 内面
３０Ａ 掛止手段
３０Ｂ 吊り下げ手段
３１ 凸部（外差込みフラップ方へと突出する凸部）
３２ 凸部（外差込みフラップ方へと突出する凸部）
４０ 切り込み（掛止孔）
４１ 切り込み（掛止片）
５０ 開口（振り出し口）
【図１】
0005272370.tif 000002
【図２】
0005272370.tif 000003
【図３】
0005272370.tif 000004
【図４】
0005272370.tif 000005
【図５】
0005272370.tif 000006
【図６】
0005272370.tif 000007
【図７】
0005272370.tif 000008
【図８】
0005272370.tif 000009
【図９】
0005272370.tif 000010
【図１０】
0005272370.tif 000011
【図１１】
0005272370.tif 000012
【図１２】
0005272370.tif 000013
【図１３】
0005272370.tif 000014
【図１４】
0005272370.tif 000015
【図１５】
0005272370.tif 000016
【図１６】
0005272370.tif 000017
【図１７】
0005272370.tif 000018
【図１８】
0005272370.tif 000019
【図１９】
0005272370.tif 000020
【図２０】
0005272370.tif 000021
【図２１】
0005272370.tif 000022
【図２２】
0005272370.tif 000023
【図２３】
0005272370.tif 000024
【図２４】
0005272370.tif 000025
【図２５】
0005272370.tif 000026
【図２６】
0005272370.tif 000027
【図２７】
0005272370.tif 000028
【図２８】
0005272370.tif 000029
【図２９】
0005272370.tif 000030
【図３０】
0005272370.tif 000031